(57)【要約】【課題】  手動操作による加圧力を利用してタックを固定できるようにし、エアシリンダーを一掃して部品コストの低減化、組立てコスト、製造コストの低廉化を図る。【解決手段】  略くの字形の腕部材５と、この腕部材５の下端に設けているタック押え部材６と、腕部材５の外側に腕部材５の屈曲形状に沿って鉤形に設けているＬ字状のハンドル７と、またこのハンドル７の手動操作でタック押え部材６をタック１ｂに接離動作させる制御機構８とを備えて形成する。本発明は、ハンドル７の下端を押すことでクランク部材８１が中折れし、圧縮バネ８４の復元力で枢着軸５３を中心にして前腕部材５２がセット板３の側に回動してタック押え部材６をタック１ｂに押し付け、またハンドル７の下端を引いてクランク部材８１を引き起こすと引張りバネ８３が作用し、枢着軸５３を中心に前腕部材５２の下端がセット板３から離れるよう回動し、タック１ｂの押圧状態が解除される。【選択図】      図１
2005143717.tif 000002
【特許請求の範囲】
【請求項１】
吊下げられたズボンの腰回り部を緊張仕上げする膨張袋の両側に左右対称状に一対設けられ、ズボンの腰回り部のタックを膨張袋を介してセット板に押圧固定するためのズボン仕上げ機のタック押え装置であって、上記のセット板の側方に屈曲部を突き出させて略くの字形に形成されている腕部材と、この腕部材の下端に設けられているタック押え部材と、このタック押え部材をズボンの腰回り部のタックに押し付けるため腕部材の外側に腕部材の屈曲形状に沿って鉤形に設けられているＬ字状のハンドルと、またこのハンドルの手動操作でタック押え部材をタックに接離動作させる制御機構とを備えて形成され、上記の腕部材が、上記のセット板が垂設されている上部のフレームに上端が取り付けられている上腕部材と、この上腕部材の下端に上部が枢着されている前腕部材とで両者の枢着軸を介して前腕部材がセット板の側に回動自在に形成され、上記のタック押え部材が前腕部材の下端に枢着され、上記のハンドルの屈曲箇所より上側の位置が前腕部材の上端にクランク部材を介して枢着されると共に、ハンドルの上端付近の位置が支持片を介して上腕部材に枢着され、上記の制御機構が、前腕部材の上端に下端が枢着されると共に上端がハンドルに連結されている上記のクランク部材と、このクランク部材から一定の間隔をあけて下端が上腕部材に枢着されると共に上端にハンドルが通されて抜け止めされている上記の支持片と、この支持片と上腕部材との枢着軸と上記のクランク部材と前腕部材との枢着軸とに架け渡されている引張りバネと、またクランク部材と支持片との間のハンドルの位置に外装されている圧縮バネとで形成され、上記のクランク部材が上下の連結片を枢着させてその枢着軸からタックの押圧時にセット板の側に中折れ自在に形成されていることを特徴とするズボン仕上げ機のタック押え装置。
【請求項２】
請求項１記載のズボン仕上げ機のタック押え装置であって、クランク部材を形成する下側の連結片が、上側の連結片の下端を係合させる凹溝状の切欠き部を備えて形成されていることを特徴とするズボン仕上げ機のタック押え装置。
【請求項３】
請求項１又は２記載のズボン仕上げ機のタック押え装置であって、引張りバネが、各枢着軸の両端に架け渡され、腕部材の両側に平行一対状に設けられていることを特徴とするズボン仕上げ機のタック押え装置。
【発明の詳細な説明】
【技術分野】
【０００１】
本発明は、ズボン仕上げ機のタック押え装置に関し、更に詳しくは吊下げたズボンの腰回り部を膨張袋で緊張仕上げする際、腰回り部のタックを膨張袋を介してセット板に押圧するためのタック押え装置に関するものである。
【背景技術】
【０００２】
従来この種のタック押え装置は、例えば特許文献１に記載されているように、膨張袋の両側に左右対称になるよう一対設けられ、ズボンの腰回り部のタックをセット板に押圧するためのタック押え部材が、エアシリンダーで動作可能に形成されていた。
従って従来品の場合は、エアシリンダーと共に、エアの配管設備や電磁弁等の部品が必要になるため、従来品によると部品コストが増大し、組立てコストや製造コストが高く付くことになるのを避けられなかった。
【特許文献１】特開平１０−２９５９９９号公報
【発明の開示】
【発明が解決しようとする課題】
【０００３】
本発明は、このような従来技術の問題点に鑑み、提案されたものである。
従って本発明の解決しようとする技術的課題は、手動操作による加圧力を利用してタックを固定できるようにし、エアシリンダーを一掃して部品コストの低減化、組立てコスト、製造コストの低廉化を図ることができるよう形成したズボン仕上げ機のタック押え装置を提供することにある。
【課題を解決するための手段】
【０００４】
本発明は、上記の課題を解決するため、次のような技術的手段を採る。
即ち本発明は、図１等に示されるように、吊下げられたズボン１の腰回り部１ａを緊張仕上げする膨張袋２の両側に左右対称状に一対設けられ、ズボン１の腰回り部１ａのタック１ｂを膨張袋２を介してセット板３に押圧固定するためのズボン仕上げ機のタック押え装置であって、上記のセット板３の側方に屈曲部を突き出させて略くの字形に形成されている腕部材５と、この腕部材５の下端に設けられているタック押え部材６と、このタック押え部材６をズボン１の腰回り部１ａのタック１ｂに押し付けるため腕部材５の外側に腕部材５の屈曲形状に沿って鉤形に設けられているＬ字状のハンドル７と、またこのハンドル７の手動操作でタック押え部材６をタック１ｂに接離動作させる制御機構８とを備えて形成され、上記の腕部材５が、上記のセット板３が垂設されている上部のフレーム９に上端が取り付けられている上腕部材５１と、この上腕部材５１の下端に上部が枢着されている前腕部材５２とで両者の枢着軸５３を介して前腕部材５２がセット板３の側に回動自在に形成され、上記のタック押え部材６が前腕部材５２の下端に枢着され、上記のハンドル７の屈曲箇所７１より上側の位置が前腕部材５２の上端にクランク部材８１を介して枢着されると共に、ハンドル７の上端付近の位置が支持片８２を介して上腕部材５１に枢着され、上記の制御機構８が、前腕部材５２の上端に下端が枢着されると共に上端がハンドル７に連結されている上記のクランク部材８１と、このクランク部材８１から一定の間隔をあけて下端が上腕部材５１に枢着されると共に上端にハンドル７が通されて抜け止めされている上記の支持片８２と、この支持片８２と上腕部材５１との枢着軸１２と上記のクランク部材８１と前腕部材５２との枢着軸１６とに架け渡されている引張りバネ８３と、またクランク部材８１と支持片８２との間のハンドル７の位置に外装されている圧縮バネ８４とで形成され、上記のクランク部材８１が上下の連結片８１ａ、８１ｂを枢着させてその枢着軸８１ｃからタック１ｂの押圧時にセット板３の側に中折れ自在に形成されていることを特徴とする（請求項１）。
【０００５】
この本発明の場合は、図２に示されるように、クランク部材８１を形成する下側の連結片８１ｂが、上側の連結片８１ａの下端を係合させる凹溝状の切欠き部８１ｄを備えて形成されているのが好ましい（請求項２）。
なぜならこれによると、上側の連結片８１ａの下端の両側を、下側の連結片８１ｂで回動自在に軸支でき、中折れ動作の安定化を図ることができるからである。
【０００６】
また請求項１又は２記載の本発明の場合は、図３に示されるように、引張りバネ８３が、各枢着軸１２、１６の両端に架け渡され、腕部材５の両側に平行一対状に設けられているのが好ましい（請求項３）。
なぜならこれによると、引張りバネ８３を片側だけに設ける場合より、前腕部材５２の上端の左右側をバランス良く強く牽引でき、その分、ハンドル７の操作に手応えを感じ、クランク部材８１の中折れ姿勢を堅持でき、タック押え部材６をタック１ｂに強く押し付けることができるからである。またこれによると、ハンドル７を戻す場合も手応えがあり、クランク部材８１の起立姿勢を堅固にできるからである。
【発明の効果】
【０００７】
本発明の装置は、ハンドルの下端を押すことでクランク部材が中折れし、圧縮バネの復元力で前腕部材と上腕部材との枢着軸を中心にして前腕部材がセット板の側に回動してタック押え部材をタックに押し付け、またハンドルの下端を引いてクランク部材を引き起こすと引張りバネが作用し、上記の枢着軸を中心に前腕部材の下端がセット板から離れるよう回動し、タックの押圧状態が解除されるものである。
【０００８】
従って本発明は、ズボンの腰回り部のタックをエアシリンダーによることなく、エアシリンダーに比べ格段に安価なバネを利用して手動操作時の加圧力でタックを押圧できる。それ故これによれば、エアシリンダー、エア配管、電磁弁等の部品を一掃でき、部品コストの低減化、組立てコスト、製造コストの低廉化を図ることができる。
【発明を実施するための最良の形態】
【０００９】
以下、本発明を実施するための最良の形態を説明する。
図１等において、１は吊下げられたズボンであり、２はこのズボン１の腰回り部１ａを緊張仕上げするための膨張袋である。この膨張袋２は、セット板３に被せられ、取付手段としての紐４で固定されて熱風で膨張するよう形成されている。本発明の装置は、この膨張袋２の両側に左右対称状に一対設けられ、ズボン１の腰回り部１ａのタック１ｂを、膨張袋２を介してセット板３に押圧固定するためのものである。
【００１０】
本発明の装置は、図示されるように、セット板３の側方に屈曲部を突き出させて略くの字形に形成されている腕部材５と、この腕部材５の下端に設けられているタック押え部材６と、このタック押え部材６をズボン１の腰回り部１ａのタック１ｂに押し付けるため腕部材５の外側に腕部材５の屈曲形状に沿って鉤形に設けられているＬ字状のハンドル７と、またこのハンドル７の手動操作でタック押え部材６をタック１ｂに接離動作させる制御機構８とを備えて形成されている。
【００１１】
上記の腕部材５は、セット板３が垂設されている上部のフレーム９に上端が取り付けられている上腕部材５１と、この上腕部材５１の下端に上部が枢着されている前腕部材５２とで両者の枢着軸５３を介して前腕部材５２がセット板３の側に回動自在に形成されている。上腕部材５１の上端は、この実施形態ではフレーム９に縦軸１０を中心に回動可能に取り付けられている。腕部材５は、常時は膨張袋２の側方位置に配置され、ズボン１のタック１ｂを押圧するときは上記の縦軸１０を介して回動し、タック１ｂに対応するよう膨張袋２の斜め前方位置に配置される。
【００１２】
上記のタック押え部材６は、前腕部材５２の下端に枢着されている。１１は、タック押え部材６を前腕部材５２の下端に枢着させる横軸である。タック押え部材６は、この横軸１１を中心に前後に揺動し、タック１ｂに押圧力が万遍なく加わるよう取り付けられている。
【００１３】
上記のハンドル７は、金属パイプがＬ字状に曲げられて形成され、屈曲箇所７１より上側の位置が前腕部材５２の上端にクランク部材８１を介して連結されている。またハンドル７は、その上端付近が支持片８２を介して上腕部材５１に枢着されている。１２は、その枢着軸である。なおハンドル７の下端には、球体状の摘み７２が取り付けられている。
【００１４】
また上記の制御機構８は、上記のクランク部材８１と、支持片８２と、引張りバネ８３及び圧縮バネ８４とで形成されている。クランク部材８１は、前腕部材５２の上端に下端が枢着されると共に、上端がハンドル７の屈曲箇所７１より上側の位置に連結されている。１３は、連結ピンである。このクランク部材８１は、上下の連結片８１ａ、８１ｂが枢着されることにより形成され、枢着軸８１ｃからタック１ｂの押圧時にセット板３の側に中折れ自在に形成されている。下側の連結片８１ｂは、上側の連結片８１ａの下端を係合させる凹溝状の切欠き部８１ｄ（図２等参照）を備えて形成されている。従って上下の連結片８１ａ、８１ｂは、上側の連結片８１ａの下端が下側の連結片８１ｂの一対の腕片の間に配置されて枢着されている。
【００１５】
また上記の支持片８２は、例えば厚板状に形成され、クランク部材８１から一定の間隔をあけて下端が上腕部材５１に枢着されると共に、上端にハンドル７が通されて抜け止めされている。１４（図３等参照）は、支持片８２の抜け止めのため、ハンドル７の雄ネジ状に形成されている上端付近に螺合されているナットである。支持片８２の下端は、上腕部材５１の上面に溶接されている凹溝状の金属板１５の両片の間に配置され、枢着軸１２で上腕部材５１に回動可能に軸支されている。
【００１６】
上記の引張りバネ８３は、支持片８２と上腕部材５１との枢着軸１２と、上記のクランク部材８１と前腕部材５２との枢着軸１６とに架け渡されている。この引張りバネ８３は、この実施形態では図３に示されるように、各枢着軸１２、１６の両端に架け渡され、腕部材５の両側に平行一対状に設けられている。
また圧縮バネ８４は、クランク部材８１と支持片８２との間のハンドル７の位置に外装されている。なお１７（図２等参照）は、ハンドル７の上端を係止するためのストッパーである。
【００１７】
次に本発明の装置の作用を説明する。
先ず作業者は、タック押え部材６を、膨張袋２に挿し嵌めたズボン１の腰回り部１ａのタック１ｂに対向させて配置させ、次に図４に矢示するように、ハンドル７を押す。すると同図に矢示する方向に、クランク部材８１が中折れし、前腕部材５２の上端を突き上げ、枢着軸５３を中心にして前腕部材５２が図面上時計方向に回される。この結果、前腕部材５２の下端がセット板３の側に回動し、タック押え部材６がタック１ｂを押圧する（図２、図５参照）。このとき圧縮バネ８４は少し圧縮されるため、その復元力がクランク部材８１を突っ張らせ、引張りバネ８３と協働してクランク姿勢を保持させる。そして本発明では、この圧縮バネ８４の復元力によってタック押え部材６がタック１ｂに押し付けられ、またこの復元力を手動操作時の加圧力として利用し、小さな力でハンドル７を軽く操作するだけで、タック押え部材６をタック１ｂに押し付けることができるものである。
【００１８】
而してタック押え部材６をタック１ｂから引き離す場合は、膨張袋２による腰回り部１ａの緊張仕上げが終了した後、作業者は上例とは逆に、ハンドル７を側方に引く。するとクランク部材８１が立ち上がり、枢着軸１２、１６の間の長さが狭まるため、引張りバネ８３の作用で前腕部材５２の上端が牽引され、枢着軸１６を中心に前腕部材５２の下端が反時計方向に回動する。これによりタック押え部材６がタック１ｂから離され、ズボン１の固定状態が解除される。
【図面の簡単な説明】
【００１９】
【図１】本発明の装置の好適な一実施形態を示し、ズボン仕上げ機に設けられている状態の要部正面図である。
【図２】同上装置の要部斜視図である。
【図３】同上装置の要部平面図である。
【図４】同上装置の作用を説明するための要部正面図である。
【図５】同上装置の作用を説明するための要部正面図である。
【符号の説明】
【００２０】
１      ズボン
１ａ    腰回り部
１ｂ    タック
２      膨張袋
３      セット板
５      腕部材
５１    上腕部材
５２    前腕部材
５３    枢着軸
６      タック押え部材
７      ハンドル
７１    屈曲箇所
８      制御機構
８１    クランク部材
８１ａ  上側の連結片
８１ｂ  下側の連結片
８１ｃ  枢着軸
８２    支持片
８３    引張りバネ
８４    圧縮バネ
９      フレーム
１２    枢着軸
１６    枢着軸
【図１】
2005143717.tif 000003
【図２】
2005143717.tif 000004
【図３】
2005143717.tif 000005
【図４】
2005143717.tif 000006
【図５】
2005143717.tif 000007